(57)【要約】      （修正有）【課題】ワイヤレスペットインタラクション装置を遠隔操作することでペットに飲食物を提供し、ペットがいる空間の画像を取得して飼い主が外出先でもペットの世話をでき、コミュニケーションをとれるスマートペットインタラクション装置を提供する。【解決手段】スマートペットインタラクション装置はクラウドサーバ１２、スマート通信デバイス１４、ワイヤレスペットインタラクション装置１６を含む。スマート通信デバイス１４はクラウドサーバ１２に無線接続し、インタラクションモジュールをインストールする。ワイヤレスペットインタラクション装置１６はクラウドサーバ１２に無線接続し、ペットがいる空間に設置される。スマート通信デバイス１４はインタラクションモジュールとクラウドサーバ１２に接続することでワイヤレスペットインタラクション装置１６を制御してペットに飲食物を与え、生活空間画像を取得してクラウドサーバ１２を通じてスマート通信デバイス１４に表示する。【選択図】図２
0003202318.tif 000002
【実用新案登録請求の範囲】
【請求項１】
クラウドサーバと、
前記クラウドサーバに無線接続するとともに、前記クラウドサーバに対応するインタラクションモジュールをインストールし、少なくとも１つの給餌コマンドを表示して前記給餌コマンドがタッチされると、前記インタラクションモジュールおよび前記給餌コマンドにより少なくとも１つの第一無線信号を生成して前記クラウドサーバに送信し、前記クラウドサーバは前記第一無線信号により少なくとも１つの給餌信号を生成するスマート通信デバイスと、
前記クラウドサーバに無線接続し、かつ少なくとも１匹のペットが活動している生活空間に設置されるワイヤレスペットインタラクション装置であって、
前記クラウドサーバに無線接続する第一無線インターフェースと、
前記第一無線インターフェースに電気的に接続するとともに、これにより前記給餌信号を受信する第一プロセッサと、
前記第一プロセッサに電気的に接続するとともに、飲食物を貯蔵し、少なくとも１つの第一容器部の上方に位置し、前記給餌信号に基づいて前記第一プロセッサにより前記第一容器部に前記ペットに与える前記飲食物を提供する少なくとも１つの飲食物供給器と、
前記第一プロセッサに電気的に接続するとともに、前記生活空間の第一画像を取得し、前記第一プロセッサにより前記第一無線インターフェースおよび前記クラウドサーバを順に通じて前記第一画像を前記スマート通信デバイスに伝送して前記インタラクションモジュールにより表示する第一撮像レンズと、
を備えるワイヤレスペットインタラクション装置と、を含む、
スマートペットインタラクション装置。
【請求項２】
前記飲食物供給器の数量は２つであり、前記第一容器部の数量は２つであり、前記２つの飲食物供給器はそれぞれ給餌器と給水器であり、前記飲食物は餌および水であり、前記給餌器および前記給水器はそれぞれ前記２つの第一容器部の上方に位置する、請求項１に記載のスマートペットインタラクション装置。
【請求項３】
前記ワイヤレスペットインタラクション装置は、水量センサーと、餌量センサーと、をさらに備え、前記餌量センサーと前記水量センサーは前記第一プロセッサに電気的に接続するとともに、それぞれ前記２つの第一容器部中に位置して、前記水と前記餌の残量をそれぞれ感知し、前記水量センサーおよび前記餌量センサーは前記第一プロセッサ、前記第一無線インターフェースおよび前記クラウドサーバを順に通じて前記残量を前記スマート通信デバイスに伝送して前記インタラクションモジュールにより表示する、請求項２に記載のスマートペットインタラクション装置。
【請求項４】
前記ワイヤレスペットインタラクション装置は、前記第一プロセッサに電気的に接続するディスプレイをさらに備え、前記スマート通信デバイスが表示コマンドを表示して前記表示コマンドがタッチされると、前記スマート通信デバイスは飼い主の第二画像を取得するとともに、前記インタラクションモジュールおよび前記表示コマンドにより前記クラウドサーバ、前記第一無線インターフェースおよび前記第一プロセッサを順に通じて前記第二画像を前記ディスプレイに伝送して表示する、請求項１に記載のスマートペットインタラクション装置。
【請求項５】
前記ディスプレイは液晶ディスプレイである、請求項４に記載のスマートペットインタラクション装置。
【請求項６】
前記ワイヤレスペットインタラクション装置は前記第一プロセッサに電気的に接続するスピーカーをさらに備え、前記スマート通信デバイスが呼びかけコマンドを表示して前記呼びかけコマンドがタッチされると、前記スマート通信デバイスは前記インタラクションモジュールおよび前記呼びかけコマンドにより前記クラウドサーバ、前記第一無線インターフェースおよび前記第一プロセッサを順に通じて音声ファイルを前記スピーカーに伝送して音声を発する、請求項４に記載のスマートペットインタラクション装置。
【請求項７】
前記音声ファイルは外部録音音声ファイルまたは内蔵音声ファイルである、請求項６に記載のスマートペットインタラクション装置。
【請求項８】
前記ワイヤレスペットインタラクション装置は前記第一プロセッサに電気的に接続するご褒美給餌器をさらに備え、前記ご褒美給餌器はご褒美用の食べ物を貯蔵するとともに、第二容器部の上方に位置し、前記スマート通信デバイスがご褒美コマンドを表示して前記ご褒美コマンドがタッチされると、前記スマート通信デバイスは前記インタラクションモジュールおよび前記ご褒美コマンドにより第二無線信号を生成して前記クラウドサーバに送信し、前記クラウドサーバは前記第二無線信号によりご褒美信号を生成し、前記第一プロセッサは前記第一無線インターフェースを利用して前記ご褒美信号を受信してこれに基づき前記ご褒美給餌器を制御して前記ペットに与える前記ご褒美用の食べ物を前記第二容器部に提供する、請求項６に記載のスマートペットインタラクション装置。
【請求項９】
前記ワイヤレスペットインタラクション装置は前記第一プロセッサに電気的に接続する機械センサーアームをさらに備え、前記スマート通信デバイスは握手コマンドを表示して前記握手コマンドがタッチされると、前記スマート通信デバイスは前記インタラクションモジュールおよび前記握手コマンドにより第三無線信号を生成して前記クラウドサーバに送信し、前記クラウドサーバは前記第三無線信号により握手信号を生成し、前記第一プロセッサは前記第一無線インターフェースを利用して前記握手信号を受信してこれに基づき前記機械センサーアームを制御して揺らし、前記機械センサーアームが前記ペットに触れると、第一トリガー信号が生成されて前記第一プロセッサに送信され、前記第一プロセッサは前記第一トリガー信号に基づき前記ご褒美給餌器を制御して前記ペットに与える前記ご褒美用の食べ物を前記第二容器部に提供し、かつ前記第一プロセッサは前記第一トリガー信号に基づいて無線振動信号を生成して前記第一無線インターフェースおよび前記クラウドサーバを順に通じて前記スマート通信デバイスに伝送し、前記スマート通信デバイスは前記無線振動信号により振動する、請求項８に記載のスマートペットインタラクション装置。
【請求項１０】
ワイヤレスペットインタラクション装置は、前記第一プロセッサに電気的に接続する投球機であって、前記スマート通信デバイスが投球コマンドを表示して前記投球コマンドがタッチされると、前記スマート通信デバイスは前記インタラクションモジュールおよび前記投球コマンドにより第四無線信号を生成して前記クラウドサーバに送信し、前記クラウドサーバは前記第四無線信号により投球信号を生成し、前記第一プロセッサは前記第一無線インターフェースを利用して前記投球信号を受信してこれに基づき前記投球機を制御してボールを発射する投球機と、第三容器部中に設けられるとともに、前記第一プロセッサに電気的に接続し、前記ボールに接触すると第二トリガー信号を生成して前記第一プロセッサに送信し、前記第一プロセッサは前記第二トリガー信号に基づいて前記ご褒美給餌器を制御して前記ペットに与える前記ご褒美用の食べ物を前記第二容器部に提供するセンサーと、
をさらに備える、請求項８に記載のスマートペットインタラクション装置。
【請求項１１】
前記スマート通信デバイスは、第二無線インターフェースと、前記第二無線インターフェースに電気的に接続するとともに、前記インタラクションモジュールをインストールする第二プロセッサと、前記第二プロセッサに電気的に接続するとともに、前記表示コマンド、前記呼びかけコマンドおよび前記握手コマンドを表示し、前記よびかけコマンドがタッチされると、前記第二プロセッサは前記インタラクションモジュールおよび前記呼びかけコマンドにより前記第二無線インターフェースを通じて前記音声ファイルを前記クラウドサーバに伝送するタッチスクリーンと、前記第二プロセッサに電気的に接続する第二撮像レンズであって、前記表示コマンドがタッチされると、前記第二プロセッサは前記第二撮像レンズを駆動して前記第二画像を取得するとともに、前記インタラクションモジュールおよび前記表示コマンドにより前記第二無線インターフェースを通じて前記第二画像を前記クラウドサーバに伝送する第二撮像レンズと、前記第二プロセッサに電気的に接続する振動器であって、前記握手コマンドがタッチされると、前記第二プロセッサは前記インタラクションモジュールおよび前記握手コマンドにより前記第二無線インターフェースを通じて前記第三無線信号を前記クラウドサーバに伝送し、かつ前記第二プロセッサは前記第二無線インターフェースを通じて前記クラウドサーバから前記無線振動信号を受信してこれに基づき前記振動器を駆動して振動を生成する振動器と、をさらに備える、請求項９に記載のスマートペットインタラクション装置。
【請求項１２】
前記ワイヤレスペットインタラクション装置は、前記第一プロセッサに電気的に接続するレーザー照射器をさらに備え、前記スマート通信デバイスが遊びコマンドを表示して前記遊びコマンドがタッチされると、前記スマート通信デバイスは前記インタラクションモジュールおよび前記遊びコマンドにより第五無線信号を生成して前記クラウドサーバに送信し、前記クラウドサーバは前記第五無線信号により遊び信号を生成し、前記第一プロセッサは前記第一無線インターフェースを利用して前記遊び信号を受信してこれに基づき前記レーザー照射器の照射方向を制御するとともに、前記レーザー照射器を駆動してレーザー光スポットを照射する、請求項１に記載のスマートペットインタラクション装置。
【請求項１３】
前記ワイヤレスペットインタラクション装置は、前記第一プロセッサおよび電気器具に電気的に接続するスマートコンセント差込口をさらに備え、前記スマート通信デバイスが電力供給コマンドを表示して前記電力供給コマンドがタッチされると、前記スマート通信デバイスは前記インタラクションモジュールおよび前記電力供給コマンドにより第六無線信号を生成して前記クラウドサーバに送信し、前記クラウドサーバは前記第六無線信号により電力供給信号を生成し、前記第一プロセッサは前記第一無線インターフェースを利用して前記電力供給信号を受信してこれに基づき前記スマートコンセント差込口を制御して前記電気機器に電力を供給して作動させる、請求項１に記載のスマートペットインタラクション装置。
【請求項１４】
前記電気機器はファンである、請求項１３に記載のスマートペットインタラクション装置。
【請求項１５】
前記ワイヤレスペットインタラクション装置は、前記第一プロセッサに電気的に接続する温度センサーをさらに備え、周囲の温度を測定し、前記温度が設定温度に達すると、前記温度センサーは放熱信号を生成して第一プロセッサに送信し、前記第一プロセッサは前記放熱信号に基づいて前記ファンを起動する、請求項１４に記載のスマートペットインタラクション装置。
【請求項１６】
前記第一プロセッサは商用電源差込口および電池装着部に電気的に接続し、前記電池装着部内には電池を装着し、前記第一プロセッサは前記商用電源差込口または前記電池から伝送された電力を受信して作動する、請求項１に記載のスマートペットインタラクション装置。
【請求項１７】
前記ワイヤレスペットインタラクション装置は、傾倒時電力遮断保護器をさらに備え、前記第一プロセッサが前記傾倒時電力遮断保護器を通じて前記商用電源差込口および前記電池装着部に電気的に接続し、かつ前記第一プロセッサ、前記傾倒時電力遮断保護器および前記電池装着部はベース部上に設けられ、前記第一プロセッサ、前記ベース部、前記電池装着部および前記傾倒時電力遮断保護器が設定角度まで傾いたとき、前記傾倒時電力遮断保護器は回路遮断状態になるとともに、前記第一プロセッサ、前記第一無線インターフェースおよび前記クラウドサーバを順に通じて警告メッセージを前記スマート通信デバイスに伝送して前記インタラクションモジュールにより表示する、請求項１６に記載のスマートペットインタラクション装置。
【請求項１８】
前記スマート通信デバイスはタブレット端末、スマートフォン、デスクトップコンピュータまたはラップトップコンピュータのいずれか一つである、請求項１に記載のスマートペットインタラクション装置。
【考案の詳細な説明】
【技術分野】
【０００１】
本考案はインタラクション装置に関し、特に、スマートペットインタラクション装置に関する。
【背景技術】
【０００２】
社会の生活水準が高くなるにつれて、少子化や高齢化の傾向が加わり、ペットは人間の生活に欠かせないパートナーになっている。現代の飼い主はペットに対するやり方でペットに接するのではもはや満足できず、人間に対するやり方でペットに接したがるというのが最大の変化である。
多くの人々が自分たちのペットを“家族”と見なし、ペットに費やす想いや物の量は想像をはるかに超える。ペットとのコミュニケーション用おもちゃの市場以外に、“食”を重視するペットフード市場も軽視できない。
【０００３】
飼い主にとってペットは、昼間にオフィスで煩雑な事務を処理していても、海外を周遊していても、家にいる様子を一目見たり一緒に遊んであげたりしたいものであり、ペットの世話をする人がいないこと、ペットが普通に食事をとっているか否か、健康状態は問題ないか、といったことが心配になる。ペットの健康は食欲や体重などの細かい点からチェックされ、元気がなくなり動きが悪くなっていないか、食欲不振だったり食べなくなったりしていないか、体重が減っていないか、といったことはペットの健康状態を直接的に示す反応である。
現在市場では図１で示す自動給餌装置１０のような製品が見られるが、このような固定式の自動給餌装置１０ではペットの健康を細かくチェックできないだけでなく、優れたインタラクティブな給餌機能を効果的に果たすこともできず、複数のペットを飼う飼い主のニーズも満たせず、ペットの目の前で餌をやるような楽しみもあまり感じることができない。
【０００４】
本考案は、上述された従来技術の抱える問題を解決すべく、スマートペットインタラクション装置を提案する。
【考案の概要】
【考案が解決しようとする課題】
【０００５】
本考案の主な目的は、スマート通信デバイスを利用してアプリケーションサーバを通じてワイヤレスペットインタラクション装置と無線接続することにより、ワイヤレスペットインタラクション装置を操作してペットに飲食物を提供するとともに、ペットがいる空間の画像を取得し、飼い主が外出先でも旅行先でも変わらずペットの世話をでき、良好なコミュニケーションをとれる効果を有するスマートペットインタラクション装置を提供することである。
【課題を解決するための手段】
【０００６】
上述の目的を達成するための本考案が提供するスマートペットインタラクション装置は、クラウドサーバ、スマート通信デバイスおよびワイヤレスペットインタラクション装置を含む。スマート通信デバイスはクラウドサーバに無線接続するとともに、クラウドサーバに対応するインタラクションモジュールをインストールする。スマート通信デバイスが少なくとも１つの給餌コマンドを表示して給餌コマンドがタッチされると、スマート通信デバイスはインタラクションモジュールおよび給餌コマンドにより少なくとも１つの第一無線信号を生成してクラウドサーバに送信し、クラウドサーバは第一無線信号により少なくとも１つの給餌信号を生成する。ワイヤレスペットインタラクション装置はクラウドサーバに無線接続し、少なくとも１匹のペットが活動する生活空間中に設置される。ワイヤレスペットインタラクション装置は第一無線インターフェース、第一プロセッサ、少なくとも１つの飲食物供給器および第一撮像レンズを備える。第一プロセッサは第一無線インターフェース、飲食物供給器および第一撮像レンズに電気的に接続する。第一無線インターフェースはクラウドサーバに無線接続し、第一プロセッサは第一無線インターフェースを利用して給餌信号を受信する。飲食物供給器は飲食物を貯蔵し、かつ少なくとも１つの第一容器部の上方に位置し、第一プロセッサは給餌信号に基づいて飲食物供給器を制御し、ペットに与える飲食物を第一容器部に提供する。第一撮像レンズは生活空間の第一画像を取得し、第一プロセッサは第一無線インターフェースおよびクラウドサーバを順に通じて第一画像をスマート通信デバイスに伝送してインタラクションモジュールにより表示する。
【考案の効果】
【０００７】
本考案によれば、スマート通信デバイスを利用してアプリケーションサーバを通じてワイヤレスペットインタラクション装置と無線接続することにより、ワイヤレスペットインタラクション装置を操作してさまざまな機能やペットとのコミュニケーションを提供するとともに、飼い主が在宅または留守にかかわらず、いつでもどこでもペットの世話をすることができる。
【図面の簡単な説明】
【０００８】
【図１】先行技術の自動給餌装置の構造立体図。
【図２】本考案の一実施例の装置ブロック図。
【図３】本考案の一実施例の構造を示す図。
【考案を実施するための形態】
【０００９】
[実施例]
図２および図３を参照されたい。本考案のスマートペットインタラクション装置はクラウドサーバ１２、スマート通信デバイス１４およびワイヤレスペットインタラクション装置１６を含む。
スマート通信デバイス１４はタブレット端末、スマートフォン、デスクトップコンピュータまたはラップトップコンピュータである。スマート通信デバイス１４はクラウドサーバ１２に無線接続するとともに、クラウドサーバ１２に対応するインタラクションモジュールをインストールする。このインタラクションモジュールはアプリケーションプログラム（アプリ）により実施されることが可能であるが、これに限定されない。このアプリは第三者のソフトウェア業者により開発され、販売プラットフォーム上にアップロードされてスマート通信デバイス１４にダウンロードされる。スマート通信デバイス１４は少なくとも１つの給餌コマンドを表示し、給餌コマンドがタッチされると、スマート通信デバイス１４はインタラクションモジュールおよび給餌コマンドにより少なくとも１つの第一無線信号Ｗ１を生成してクラウドサーバ１２に送信し、クラウドサーバ１２は第一無線信号Ｗ１により少なくとも１つの給餌信号Ｓｆを生成する。
ワイヤレスペットインタラクション装置１６はクラウドサーバ１２に無線接続し、たとえば猫または犬のような少なくとも１匹のペットが活動する空間中に設置される。ワイヤレスペットインタラクション装置１６は第一無線インターフェース１８、第一プロセッサ２０、少なくとも１つの飲食物供給器２２、第一撮像レンズ２４、水量センサー２６、餌量センサー２８、ディスプレイ３０、スピーカー３２、ご褒美給餌器３４、機械センサーアーム３６、投球機３８、センサー４０、レーザー照射器４２、少なくとも１つのスマートコンセント差込口４４、温度センサー４６、電池装着部４８、傾倒時電力遮断保護器５０およびベース部５２を備える。
第一プロセッサ２０は第一無線インターフェース１８、飲食物供給器２２、第一撮像レンズ２４、水量センサー２６、餌量センサー２８、ディスプレイ３０、スピーカー３２、ご褒美給餌器３４、機械センサーアーム３６、投球機３８、センサー４０、レーザー照射器４２、スマートコンセント差込口４４および温度センサー４６に電気的に接続するとともに、傾倒時電力遮断保護器５０を通じて電池装着部４８および商用電源差込口５４に電気的に接続する。第一プロセッサ２０、第一無線インターフェース１８、飲食物供給器２２、第一撮像レンズ２４、水量センサー２６、餌量センサー２８、ディスプレイ３０、スピーカー３２、ご褒美給餌器３４、機械センサーアーム３６、投球機３８、センサー４０、レーザー照射器４２、スマートコンセント差込口４４、温度センサー４６、傾倒時電力遮断保護器５０および電池装着部４８はすべてベース部５２に設けられる。
ベース部５２の表面には少なくとも１つの第一容器部５６、第二容器部５８および第三容器部６０を有する。この実施例では、飲食物供給器２２、第一容器部５６およびスマートコンセント差込口４４の数量はそれぞれ２つずつである。２つの飲食物供給器２２は餌を貯蔵する給餌器２２１と水を貯蔵する給水器２２２であり、給餌器２２１および給水器２２２は２つの第一容器部５６の上方にそれぞれ位置する。
【００１０】
第一無線インターフェース１８はクラウドサーバ１２に無線接続し、第一プロセッサ２０は第一無線インターフェース１８により給餌信号Ｓｆを受信する。第一プロセッサ２０は給餌信号Ｓｆに基づいて自動的または設定方式で給餌器２２１および給水器２２２を制御し、ペットに与える餌および水を２つの第一容器部５６にそれぞれ提供するので、飼い主が在宅または外出中にかかわらず、いつでもどこでもペットを世話することができる。第一撮像レンズ２４は生活空間の第一画像を取得するので、いつでもどこでもペットのいる環境やペットの生活する様子まで監視できる。
第一プロセッサ２０は第一無線インターフェース１８およびクラウドサーバ１２を通じて第一画像をスマート通信デバイス１４に伝送してインタラクションモジュールにより表示する。水量センサー２６および餌量センサー２８は２つの第一容器部５６中にそれぞれ位置して水および餌の残量を感知する。水量センサー２６および餌量センサー２８は第一プロセッサ２０、第一無線インターフェース１８およびクラウドサーバ１２を順に通じてこれらの残量をスマート通信デバイス１４に伝送してインタラクションモジュールにより表示するので、ペットの食事状況を把握し、ペットの体重コントロールの参考にしたり次回の餌の放出量を調整することができる。
【００１１】
ワイヤレスペットインタラクション装置１６のディスプレイ３０は液晶ディスプレイである。スマート通信デバイス１４が表示コマンドを表示し、表示コマンドがタッチされると、スマート通信デバイス１４は飼い主の第二画像を取得するとともに、インタラクションモジュールおよび表示コマンドによりクラウドサーバ１２、第一無線インターフェース１８および第一プロセッサ２０を順に通じてディスプレイ３０に第二画像を伝送して表示することで、飼い主とペットにコミュニケーションを提供する。
スマート通信デバイス１４が呼びかけコマンドを表示し、呼びかけコマンドがタッチされると、スマート通信デバイス１４はインタラクションモジュールおよび呼びかけコマンドによりクラウドサーバ１２、第一無線インターフェース１８および第一プロセッサ２０を順に通じて音声ファイルをスピーカー３２に伝送して音声を発する。この音声ファイルは外部録音音声ファイルまたは内蔵音声ファイルである。音声ファイルが外部録音音声ファイルである場合は、これによりペットのお座り、握手、伏せ等の動作を訓練できる。
【００１２】
ご褒美給餌器３４には、通常の餌および水とは異なるご褒美用の食べ物（普通は犬用のお菓子のようなペットの大好物）を貯蔵する。ご褒美給餌器３４は第二容器部５８の上方に位置する。スマート通信デバイス１４がご褒美コマンドを表示し、ご褒美コマンドがタッチされると、スマート通信デバイス１４はインタラクションモジュールおよびご褒美コマンドにより第二無線信号Ｗ２を生成してクラウドサーバ１２に送信する。クラウドサーバ１２は第二無線信号Ｗ２によりご褒美信号Ｓｒを生成し、第一プロセッサ２０は第一無線インターフェースによりご褒美信号Ｓｒを受信してこれに基づきご褒美給餌器３４を制御してペットに与えるご褒美用の食べ物を第二容器部５８に提供する。
スマート通信デバイス１４が握手コマンドを表示し、握手コマンドがタッチされると、スマート通信デバイス１４はインタラクションモジュールおよび握手コマンドにより第三無線信号Ｗ３を生成してクラウドサーバ１２に送信し、クラウドサーバ１２は第三無線信号Ｗ３により握手信号Ｓｈを生成し、第一プロセッサ２０は第一無線インターフェース１８により握手信号Ｓｈを受信してこれに基づき機械センサーアーム３６を制御して揺らす。機械センサーアーム３６がペットに接触すると、第一トリガー信号Ｔ１が生成されて第一プロセッサ２０に送信され、第一プロセッサ２０は第一トリガー信号Ｔ１に基づきご褒美給餌器３４を制御してペットに与えるご褒美用の食べ物を第二容器部５８に提供するとともに、ペットが飼い主の命令に従ったことを褒めることでよりよいコミュニケーションを図る。
第一プロセッサ２０は第一トリガー信号Ｔ１に基づいて無線振動信号Ｓｖを生成して第一無線インターフェース１８およびクラウドサーバ１２を順に通じてスマート通信デバイス１４に伝送し、スマート通信デバイス１４は無線振動信号Ｓｖにより振動する。スマート通信デバイス１４が投球コマンドを表示し、投球コマンドがタッチされると、スマート通信デバイス１４はインタラクションモジュールおよび投球コマンドにより第四無線信号Ｗ４を生成してクラウドサーバ１２に送信し、クラウドサーバ１２は第四無線信号Ｗ４により投球信号Ｓｂを生成し、第一プロセッサ２０は第一無線インターフェース１８により投球信号Ｓｂを受信してこれに基づき投球機３８を制御してボールを発射する。センサー４０は第三容器部中に設けられ、センサー４０がボールに触れると、第二トリガー信号Ｔ２が生成されて第一プロセッサ２０に送信され、第二プロセッサ２０は第二トリガー信号Ｔ２に基づいてご褒美給餌器３４を制御してペットに与えるご褒美用の食べ物を第二容器部５８に提供する。
【００１３】
スマート通信デバイス１４が遊びコマンドを表示し、遊びコマンドがタッチされると、スマート通信デバイス１４はインタラクションモジュールおよび遊びコマンドにより第五無線信号Ｗ５を生成してクラウドサーバ１２に送信し、クラウドサーバ１２は第五無線信号Ｗ５により遊び信号Ｓｅを生成し、第一プロセッサ２０は第一無線インターフェース１８により遊び信号Ｓｅを受信してこれに基づきレーザー照射器４２の照射方向を制御するとともに、レーザー照射器４２を駆動してレーザー光ポイントを照射する。ペットにこの光を追いかけさせて遊ぶことにより、コミュニケーションを図る。
スマートコンセント差込口４４はたとえばファン６２のような電気機器に電気的に接続する。また、ユーザーはスマートコンセント差込口４４にその他のスイッチ装置を接続し、スマート通信デバイス１４を通じて随時オン／オフを操作することができる。スマート通信デバイス１４が電力供給コマンドを表示し、電力供給コマンドがタッチされると、スマート通信デバイス１４はインタラクションモジュールおよび電力供給コマンドにより第六無線信号Ｗ６を生成してクラウドサーバ１２に送信する。クラウドサーバ１２は第六無線信号Ｗ６により電力供給信号Ｓｐを生成し、第一プロセッサ２０は第一無線インターフェース１８により電力供給信号Ｓｐを受信してこれに基づきスマートコンセント差込口４４を制御してファン６２に電力供給して作動させる。
温度センサー４６は周囲の温度を測定し、この温度が設定温度に達すると、温度センサー４６は放熱信号Ｓｄを生成して第一プロセッサ２０に送信し、第一プロセッサ２０は放熱信号Ｓｄに基づいてファン６２を起動することで、ペットの放熱を助け、ペットの快適度を高める。
【００１４】
電池装着部４８内には電池を装着し、第一プロセッサ２０は傾倒時電力遮断保護器５０を通じて商用電源差込口またはこの電池から伝送された電力を受信して作動する。第一プロセッサ２０、ベース部５２、電池装着部４８および傾倒時電力遮断保護器５０が設定角度まで傾くと、傾倒時電力遮断保護器５０は回路遮断状態になり、第一プロセッサ２０、第一無線インターフェース１８およびクラウドサーバ１２を順に通じて警告メッセージをスマート通信デバイス１４に伝送してインタラクションモジュールにより表示する。このように、ペットが好奇心やその他の原因でベース部５２やその上の各素子を押し倒すと、傾倒時電力遮断保護器５０は回路遮断状態になるとともに、警告メッセージがスマート通信デバイス１４に伝送されて飼い主に通知されることで、ワイヤレスペットインタラクション装置１６が損傷を受けないように保護されると同時に、餌や水がこぼれないようになる。
【００１５】
スマート通信デバイス１４は第二無線インターフェース６４、第二プロセッサ６６、タッチスクリーン６８、第二撮像レンズ７０、振動器７２および受音器７４をさらに備える。
第二プロセッサ６６は第二無線インターフェース６４、タッチスクリーン６８、第二撮像レンズ７０、振動器７２および受音器７４をさらに備える。第二プロセッサ６６にはインタラクションモジュールがインストールされ、タッチスクリーン６８は給餌コマンド、呼びかけコマンド、ご褒美コマンド、表示コマンド、握手コマンド、投球コマンド、遊びコマンドおよび電力供給コマンドを表示する。給餌コマンドがタッチスクリーン６８上でタッチされると、第二プロセッサ６６はインタラクションモジュールおよび給餌コマンドにより第二無線インターフェース６４を通じて第一無線信号Ｗ１をクラウドサーバ１２に伝送する。呼びかけコマンドがタッチスクリーン６８上でタッチされると、第二プロセッサ６６はインタラクションモジュールおよび呼びかけコマンドにより第二無線インターフェース６４を通じて音声ファイルをクラウドサーバ１２に伝送する。ご褒美コマンドがタッチスクリーン６８上でタッチされると、第二プロセッサ６６はインタラクションモジュールおよびご褒美コマンドにより第二無線インターフェース６４を通じて第二無線信号Ｗ２をクラウドサーバ１２に伝送する。
表示コマンドがタッチスクリーン６８上でタッチされると、第二プロセッサ６６は第二撮像レンズ７０を駆動して第二画像を取得するとともに、インタラクションモジュールおよび表示コマンドにより第二無線インターフェース６４を通じて第二画像をクラウドサーバ１２に伝送する。握手コマンドがタッチスクリーン６８上でタッチされると、第二プロセッサ６６はインタラクションモジュールおよび握手コマンドにより第二無線インターフェース６４を通じて第三無線信号Ｗ３をクラウドサーバ１２に伝送する。投球コマンドがタッチスクリーン６８上でタッチされると、第二プロセッサ６６はインタラクションモジュールおよび投球コマンドにより第二無線インターフェース６４を通じて第四無線信号Ｗ４をクラウドサーバ１２に伝送する。遊びコマンドがタッチスクリーン６８上でタッチされると、第二プロセッサ６６はインタラクションモジュールおよび遊びコマンドにより第二無線インターフェース６４を通じて第五無線信号Ｗ５をクラウドサーバ１２に伝送する。電力供給コマンドがタッチスクリーン６８上でタッチされると、第二プロセッサ６６はインタラクションモジュールおよび電力供給コマンドにより第二無線インターフェース６４を通じて第六無線信号Ｗ６をクラウドサーバ１２に伝送する。
【００１６】
第二プロセッサ６６は第二無線インターフェース６４を通じてクラウドサーバ１２から無線振動信号Ｓｖを受信し、これに基づき振動器７２を駆動して振動を生成する。受音器７４は、たとえば飼い主の呼び声のような外部音声を受信して、外部録音音声ファイルを作成し、第二プロセッサ６６に保存することで、ペットとの対話に用いることができる。また、第二プロセッサ６６は第二無線インターフェース６４を通じて第一画像、水や餌の残量および警告メッセージを受信し、インタラクションモジュールを利用してタッチスクリーン６８上に第一画像、水や餌の残量および警告メッセージを表示することもできる。
【００１７】
次に本考案の動作プロセスを紹介する。給餌コマンドがタッチスクリーン６８上でタッチされると、第二プロセッサ６６はインタラクションモジュールおよび給餌コマンドにより第二無線インターフェース６４を通じて第一無線信号Ｗ１をクラウドサーバ１２に伝送する。
クラウドサーバ１２は第一無線信号Ｗ１により少なくとも１つの給餌信号Ｓｆを生成し、第一プロセッサ２０は第一無線インターフェース１８により給餌信号Ｓｆを受信する。第一プロセッサ２０は給餌信号Ｓｆに基づき、自動または設定方式で給餌器２２１および給水器２２２を制御してペットに与える餌および水をそれぞれ２つの第一容器部５６に提供する。水センサー２６は水の残量を、餌量センサー２８は餌の残量を感知するとともに、第一プロセッサ２０、第一無線インターフェース１８、クラウドサーバ１２および第二無線インターフェース６４を順に通じてこれらの残量を第二プロセッサ６６に伝送してインタラクションモジュールによりタッチスクリーン６８上で表示する。
【００１８】
呼びかけコマンドがタッチスクリーン６８上でタッチされると、第二プロセッサ６６はインタラクションモジュールおよび呼びかけコマンドにより第二無線インターフェース６４を通じて音声ファイルをクラウドサーバ１２に伝送する。するとクラウドサーバ１２は第一無線インターフェース１８および第一プロセッサを順に通じてこの音声ファイルをスピーカー３２に送信して音声を発する。
ご褒美コマンドがタッチスクリーン６８上でタッチされると、第二プロセッサ６６はインタラクションモジュールおよびご褒美コマンドにより第二無線インターフェース６４を通じて第二無線信号Ｗ２をクラウドサーバ１２に伝送する。クラウドサーバ１２は第二無線信号Ｗ２によりご褒美信号Ｓｒを生成し、第一プロセッサ２０は第一無線インターフェース１８によりご褒美信号Ｓｒを受信してこれに基づきご褒美給餌器３４を制御してペットに与えるご褒美用の食べ物を第二容器部５８に提供する。
【００１９】
表示コマンドがタッチスクリーン６８上でタッチされると、第二プロセッサ６６は第二撮像レンズ７０を駆動して第二画像を取得するとともに、インタラクションモジュールおよび表示コマンドにより第二無線インターフェース６４を通じて第二画像をクラウドサーバ１２に伝送する。するとクラウドサーバ１２は第一無線インターフェース１８および第一プロセッサ２０を通じて第二画像をディスプレイ３０に表示する。
また、第一撮像レンズ２４はペットの生活空間の第一画像を取得することもでき、第一プロセッサ２０は第一無線インターフェース１８、クラウドサーバ１２および第二無線インターフェース６４を通じて第一画像を第二プロセッサ６６に伝送してインタラクションモジュールによりタッチスクリーン６８上に表示する。
【００２０】
握手コマンドがタッチスクリーン６８上でタッチされると、第二プロセッサ６６はインタラクションモジュールおよび握手コマンドにより第二無線インターフェース６４を通じて第三無線信号Ｗ３をクラウドサーバ１２に伝送する。クラウドサーバ１２は第三無線信号Ｗ３により握手信号Ｓｈを生成し、第一プロセッサ２０は第一無線インターフェース１８により握手信号Ｓｈを受信してこれに基づき機械センサーアーム３６を制御して揺らす。
機械センサーアーム３６がペットに接触すると、第一トリガー信号Ｔ１が生成されて第一プロセッサ２０に送信され、第一プロセッサ２０は第一トリガー信号Ｔ１に基づきご褒美給餌器３４を制御してペットに与えるご褒美用の食べ物を第二容器部５８に提供する。第一プロセッサ２０は第一トリガー信号Ｔ１に基づいて無線振動信号Ｓｖを生成して第一無線インターフェース１８、クラウドサーバ１２および第二無線インターフェース６４を順に通じて第二プロセッサ６６に伝送し、第二プロセッサ６６は無線振動信号Ｓｖに基づいて振動器７２を駆動して振動を生成する。
【００２１】
投球コマンドがタッチスクリーン６８上でタッチされると、第二プロセッサ６６はインタラクションモジュールおよび投球コマンドにより第二無線インターフェース６４を通じて第四無線信号Ｗ４をクラウドサーバ１２に伝送する。クラウドサーバ１２は第四無線信号Ｗ４により投球信号Ｓｂを生成し、第一プロセッサ２０は第一無線インターフェース１８により投球信号Ｓｂを受信して投球機３８を制御してボールを発射する。ペットがボールを第三容器部６０に入れてボールがセンサー４０に触れると、センサー４０は第二トリガー信号Ｔ２を生成して第一プロセッサ２０に送信し、第一プロセッサ２０は第二トリガー信号Ｔ２に基づきご褒美給餌器３４を制御してペットに与えるご褒美用の食べ物を第二容器部５８に提供する。
【００２２】
遊びコマンドがタッチスクリーン６８上でタッチされると、第二プロセッサ６６はインタラクションモジュールおよび遊びコマンドにより第二無線インターフェース６４を通じて第五無線信号Ｗ５をクラウドサーバ１２に伝送する。クラウドサーバ１２は第五無線信号Ｗ５により遊び信号Ｓｅを生成し、第一プロセッサ２０は第一無線インターフェース１８により遊び信号Ｓｅを受信してこれに基づきレーザー照射器４２の照射方向を制御するとともに、レーザー照射器４２を駆動してレーザー光スポットを照射することによりペットと遊ぶ。
【００２３】
電力供給コマンドがタッチスクリーン６８上でタッチされると、第二プロセッサ６６はインタラクションモジュールおよび電力供給コマンドにより第二無線インターフェース６４を通じて第六無線信号Ｗ６をクラウドサーバ１２に伝送する。
クラウドサーバ１２は第六無線信号Ｗ６により電力供給信号Ｓｐを生成し、第一プロセッサ２０は第一無線インターフェース１８により電力供給信号Ｓｐを受信してこれに基づきスマートコンセント差込口４４を制御して電気機器に電力を供給して作動させる。また、第一プロセッサ２０、ベース部５２、電池装着部４８および傾倒時電力遮断保護器５０が設定角度まで傾くと、傾倒時電力遮断保護器５０は回路遮断状態になるとともに、第一プロセッサ２０、第一無線インターフェース１８、クラウドサーバ１２および第二無線インターフェース６４を順に通じて警告メッセージを第二プロセッサ６６に伝送してインタラクションモジュールによりタッチスクリーン６８上に表示する。
【符号の説明】
【００２４】
１０    自動給餌装置
１２    クラウドサーバ
１４    スマート通信デバイス
１６    ワイヤレスペットインタラクション装置
１８    第一無線インターフェース
２０    第一プロセッサ
２２    飲食物供給器
２２１  給餌器
２２２  給水器
２４    第一撮像レンズ
２６    水量センサー
２８    餌量センサー
３０    ディスプレイ
３２    スピーカー
３４    ご褒美給餌器
３６    機械センサーアーム
３８    投球機
４０    センサー
４２    レーザー照射器
４４    スマートコンセント差込口
４６    温度センサー
４８    電池装着部
５０    傾倒時電力遮断保護器
５２    ベース部
５４    商用電源差込口
５６    第一プレート部
５８    第二プレート部
６０    第三プレート部
６２    ファン
６４    第二無線インターフェース
６６    第二プロセッサ
６８    タッチスクリーン
７０    第二撮像レンズ
７２    振動器
７４    受音器
【図１】
0003202318.tif 000003
【図２】
0003202318.tif 000004
【図３】
0003202318.tif 000005